(57)【要約】      （修正有）【課題】屋外で使用される防水スイッチにおいて、外部から、内蔵スイッチのＯＮ、ＯＦＦ状況を直接視認できる表示灯付防水スイッチを提供する。【解決手段】表面操作ハンドルに透光性の表示レンズを装着し、内側に内蔵スイッチの点灯表示窓近くまで伸びた表示レンズの脚部を持たせ、操作ハンドルに対応するパッキンを透光性材料で薄肉として内蔵スイッチの点灯表示機能を表面の操作ハンドルに持たせ、プレート外周の厚肉の外周パッキンと分割する。【選択図】図１
0003143587.tif 000002
【実用新案登録請求の範囲】
【請求項１】
柔軟性のあるパッキンを表面操作ハンドルと内臓スイッチ間に介在させて表面操作ハンドルの操作で内臓スイッチを点滅し、内臓スイッチ側の防水機能も持たせた防水スイッチにおいて、点灯表示機能を持つ内臓スイッチのハンドル照光部に防水パッキンを挟んで、表面操作ハンドルに組み込まれた透光性の表示レンズの１端を伸ばして近づけ、そのプリズム効果で内臓スイッチの照光部の明かりを表面操作ハンドルの表示窓を光らせ内臓スイッチの点灯表示機能を防水スイッチの点灯表示機能とする防水スイッチ。
【考案の詳細な説明】
【技術分野】
【０００１】  本考案は屋外や屋側など雨のかかる場所で照明などの点滅に使用される防水スイッチに関する。
【背景技術】
【０００２】屋外や屋側の雨のかかる場所で使用される防水スイッチは、人がスイッチを操作する操作部や人が触れる表面と内蔵するスイッチや電路を雨水などによる漏電や感電を防止する為、防水パッキンで隔離して電気的な絶縁と操作部や取付け壁面からの浸水を防止している。スイッチを操作する表面操作部の動作を内臓スイッチに伝える為、防水パッキンの操作部に対応する部分は柔軟性が求められパッキンの肉厚も薄くなる。一方外周は壁面からの浸水を防ぐ為に壁の凹凸を吸収できる厚さが求められ厚肉となりパッキンに薄肉の部分と厚肉部分が必要となるためパッキンの成形性が悪くなり、成形後の変形や寸法が狂いやすい。また、内臓スイッチのハンドルと表面操作部は構造的にも間隔が出来、間にパッキンが介在するので表示灯付の内臓スイッチを使用しても表示灯のひかりが表面操作部まで届き難く、内臓スイッチ表示灯の点灯状態が分かりにくく、屋内で多く使用されている点灯表示付スイッチの電源表示、スイッチの位置表示、負荷の通電状態を表示する通電表示などの利便性が活用されていない。
【考案の開示】
【考案が解決しようとする課題】
【０００３】図２は一般的な表示機能を持たない防水スイッチの部品構成を表す斜視図、図３は側断面図を示している。この図面で内臓するスイッチを表面の操作ハンドルで点滅操作する一般的な防水スイッチの構造を説明する。１は表面プレートで中空窓１ａには表面操作ハンドル１１が組み込まれ、回動支点軸１１ａは表面プレート１の上半分の軸受けを構成する１ｄと防水パッキン１２の下半分の軸受けを構成する１２ｃに組み込まれ回動可能となる。表面操作ハンドル１１と内臓スイッチ１３のスイッチハンドル１３ａは防水パッキン１２の柔軟性のある薄肉部１２ａを介して表面操作ハンドルの回動操作が内臓スイッチに伝達されスイッチが点滅される。また内蔵スイッチ１３は取付け板６の爪６ａとスイッチ褄面の段差部１３ｂで固着され、ネジ１０で取付け板の穴６ｂ，防水パッキンの穴１２ｆを通し表面操作ハンドル１１、防水パッキン１２と共に表面プレート１に固着される。表面操作ハンドル１１と表面プレート１の中空窓１ａの隙間は防水プレートの薄肉部１２ａが取付け板６で表面プレート１に挟み込まれていて防水機能を持たせることが可能となる、一方表面プレートの外周はプレート外周の段差部１ｅと防水パッキン１２の外周溝１２ｄが勘合して表面プレート１に組み込まれた防水スイッチが壁などに取付けられて外周に対し防水機能を持たせている。電気絶縁物製の取付け枠７は壁面のスイッチボックスなどに１対の長穴７ｃがボックスネジで取付けられ、表面プレート１にネジ１０で組み込まれた内蔵スイッチ１３、防水パッキン１２、表面操作ハンドル１１より構成される防水スイッチはネジ９で取付け枠７のネジ穴７ｂにネジ止めされることでスイッチボックスなど造営材に取付けられる。このような構成で内臓スイッチのスイッチハンドル１３ａと表面操作ハンドル１１は防水パッキンの薄肉部１２ａを挟み、機構上間隔ができる為内臓スイッチに表示灯付スイッチを組み込んで、表面操作ハンドルに透光性の表示窓をつけても表示灯の光りが表面操作ハンドルに届きにくく、表面操作ハンドルの表示窓を表面側から見たとき充分な明るさが得ることが困難であった。また、防水パッキンも外周部は凹凸のある壁に対し肉厚が求められ、表面操作ハンドルに対応する部分は柔軟性から肉薄となりパッキンの成形性が悪く、変形などの間題も生じやすかった。なお、取付け枠７の突起７ａは防水パッキン１２の穴１２ｅを通して表面プレート１ののぞき穴１ｃから絶縁体の取付け枠が組み込まれていることを確認するための突起である。
【課題を解決するための手段】
【０００４】本考案の防水スイッチを構成する部品の斜視図を図１及び側断面図を図４に示す。表面プレート１，内臓スイッチ取付け板６、取付け枠７は図２，３と全く同じ構造であり、同じ機能をもつ。２はプレートの中空窓１ａに勘合する表面操作ハンドルで回動の１対の支点軸２ａ、表面中央部に透光性の表示レンズ３を組み込む段差穴２ｂを持っている。表示レンズ３は操作ハンドル２を貫通して先端は内臓スイッチ５のスイッチハンドル５ａの表示窓５ｂの近傍まで伸びている脚部３ａと表示面３ｂを有している。４はプレート１の中空窓１ａと操作ハンドル２の隙間からの雨水などの浸入を防止し、内蔵スイッチ５の表示灯の明りを表面操作ハンドルに組込まれた表示レンズ３に伝達する透光性の操作部パッキンで表面操作ハンドル２の回動操作を内臓スイッチ５のスイッチハンドル５ａに伝達する柔軟性のある薄肉部４ａ、操作ハンドル２の支点軸２ａの下半分の軸受けを構成する４ｃ、内臓スイッチ５を固着する取付板６の穴６ｂで４本のネジ１０で内臓スイッチ５、操作部パッキン４、表面操作ハンドル２をプレート１に組付ける穴４ｂを持っている。内臓スイッチ５はスイッチがＯＦＦ時点灯し電源表示をしたり、ＯＮで点灯し通電表示をする表示灯を内蔵していてスイッチハンドル５ａの照光部５ｂが点灯時光る事で内臓スイッチの点滅状態を表示する。８は中央に内臓スイッチを収納する中空スペース８ｂを持つほかは図２，３のパッキン１２と同じ構造の外周パッキンで溝８ａとプレート１の外周段差部１ｅの勘合でプレート外周の防水性を持たせている。１対のネジ穴８ｄでプレート１に組み込まれた本案防水スイッチを取付け枠７にネジ９で固着して取付け枠７の長穴７ｃで取付け枠がスイッチボックスなどに取り付けられる事で本案スイッチも造営材に固定される。このような構成であれば内臓スイッチ５のスイッチハンドル５ａの照光部５ｂの表示灯のあかりは操作部パッキンの薄肉部４ａを介して操作ハンドル２に組み込まれた表示レンズ３の脚部３ａによりあまり減光される事なく表示レンズ３の表示面３ｂを光らせ表面から判別することが容易となり、スイッチＯＦＦ時の電源表示、ＯＮ時の通電表示などが可能となる。これにより電源表示やスイッチの位置表示、負荷の点滅状態が暗い場所でも容易に判別できる。
【考案の効果】
【０００５】請求項１の本考案によれば、内臓スイッチの点灯表示機能をそのまま防水スイッチ表面操作ハンドルに持たせることが可能となり、スイッチＯＦＦ時に点灯して電源が来ていることを表示する電源表示、暗い場所でのスイッチの位置を表示してスイッチを操作しやすくことも可能となる。また、スイッチがＯＮ時に点灯して接続された負荷が通電している事を表示し、照明などの消し忘れを防止できる。さらに防水パッキンを薄肉で小さい操作部と厚肉の外周パッキンに分離する事で夫々の成形がし易くなり、高価な材質となる透光性と柔軟性が求められる操作部パッキンの材料も少なくてよく、価格も安くなる。
【考案を実施するための形態】
【０００６】図１及び図４に示すように防水パッキンを操作部パッキン４と外周パッキン８に２分割して光を透過させる高価な材料を極力少なくした薄肉の小さい操作部パッキン４と厚肉となる大きな外周パッキン８に分離し成形性を改善し、価格のアップを少なくする本案の実施形態のほか、図２，３に示す形態でパッキン１２を透光性の材料で一体的に構成する実施形態もある。
【図面の簡単な説明】
【０００７】
【図１】本考案の点灯表示灯付の防水スイッチ分解斜視図  １、防水スイッチの表面プレートで表面操作ハンドルの勘合する中空窓１ａ，１対の取付け穴１ｂ，のぞき穴１ｃ，１対の上半分の軸受け１ｄ、外周の段差部１ｅを有している。２は本案の表示窓が組み込まれる穴２ｂ，１対の支点軸２ａを持つ表面操作ハンドル  ３は表面操作ハンドルの穴２ｂに勘合する表示窓で内側の内臓スイッチの近くまで伸びた脚部３ａ表面側の照光部３ｂを持っている。４は外周の４つの穴４ｂで表面プレート１と内臓スイッチの取付け板６をネジ１０で締め付けることで防水機能を持たせ、表面操作ハンドル２と内部スイッチ５に対応して表面操作ハンドルの動きを内臓スイッチ５に伝達する柔軟な薄肉部４ａ，１対の軸受け４ｃを持つ操作部パッキン、５は内臓スイッチで取付板６の爪部６ａと褄面段差部５ｃで６に固着され、点滅の状態で点灯する照光部５ｂを持つスイッチハンドル５ａを有している。７は１対の長穴７ｃで壁面に取付けられたスイッチボックスにボックスネジでネジ止め固着され、もう１つの１対のネジ穴７ｂに表面プレート１に組み込まれた操作ハンドル２、パッキン４、取付け板６で固着される内臓スイッチ５、外周パッキン８からなる本案防水スイッチをネジ９で取付け枠に取付けることで、取付け枠７を介して防水スイッチが壁面に取付けられる。内臓スイッチを収納する中空スペース７ｄ，表面プレートののぞき穴１ｃから確認する突起７ａを有している。８は表面プレート１の外周段差１ｅと外周の溝８ａで外周からの水の浸入を防止し、内蔵スイッチ収納するスペース８ｂ取付け枠７のネジ穴７ｂに対応する１対の穴８ｄ，７ａを貫通させる穴８ｃを有している。９は表面プレートに組み込まれた防水スイッチを取付け枠７に固着するネジ、１０は内臓スイッチ５を固着する取付け板６で操作部パッキン４、ハンドル２をプレート１に取付ける４本のネジ
【図２】従来の表示灯機能を持たない防水スイッチの分解斜視図  １１は表示窓を持たない表面操作ハンドルで２と同様支点軸１１ａを有している。１２は図１の操作部パッキン４と外周パッキン８が一体となったもので柔軟な薄肉部１２ａ，取付け枠７にプレート１に組み込まれた防水スイッチを取付ける穴１２ｂ，操作ハンドル１１の支点軸受け１２ｃ，外周溝１２ｄ，プレート１ののぞき穴１ｃと取付け枠７の突起７ａに対応する穴１２ｅを有している。
【図３】従来の表示灯機能を持たない防水スイッチの側断面図
【図４】本案の表示灯機能を持つ防水スイッチの側断面図
【符号の説明】
【０００８】１  防水スイッチの表面プレート  １ａ表面プレートの中空窓で表面操作ハンドルが勘合する、１ｂ表面プレートに組み込まれた防水スイッチをネジ９で取付け枠７に固着する１対の穴、１ｃプレート表面から取付け枠７の突起７ａを確認するのぞき穴、１ｄ中空窓１ａに勘合する表面操作ハンドル２の支点軸２ａの上半分に軸受けを構成する１対の軸受け  １ｅ表面プレートの外周段差部
２  表面操作ハンドル  ２ａ支点軸  ２ｂ表面の角の段差穴
３  透光性の表示レンズ  ３ａ表示レンズの一部でハンドルを貫通して内側に延びた角型の脚部  ３ｂ表示レンズの表面の照光部でハンドル２の段差穴２ｂに勘合する
４  表面操作ハンドル２とプレートの中空窓の隙間に対して防水機能を持たせる操作部パッキン  ４ａハンドル２の回動を内臓スイッチに伝達する透光性で柔軟性を持つ薄肉部  ４ｂ操作部パッキンを内臓スイッチの取付け板６で内臓スイッチ、表面操作ハンドルとともにプレート１に固着するネジの貫通する穴  ４ｃ表面操作ハンドルの下半分の軸受けを構成する１対の軸受け
５  内臓スイッチでＯＮ時またはＯＦＦ時にスイッチハンドル  ５ａの照光部  ５ｂを光らせる点灯表示スイッチ、５ｃの褄面段差部で取付け板６の爪６ａで取付け板に固定される
６  内臓スイッチを固定する取付け板  ６ｂ内臓スイッチ、操作部パッキン、表面操作ハンドルを表面プレートにネジで固着する穴
７  電気絶縁物製の取付け枠  ７ａ表面プレートののぞき穴１ｃから取付け枠を確認する突起  ７ｂ表面プレート１を取付け枠にネジ止めするネジ穴  ７ｃボックスねじで取付け枠７を造営材などに取付けられたスイッチボックスなどに固定する１対の長穴  ７ｄ内臓スイッチを収納する中空スペース
８  表面プレート１の外周段差部１ｅと外周の溝  ８ａと勘合して取付け壁面や外周からの浸水を防止する外周パッキン  ８ｂ内臓スイッチを収納する中空スペース  ８ｃ取付け枠７の突起７ａに対応する穴  ８ｄ表面プレート１を取付け枠７にネジ止めする穴
９  プレート１に組み込まれた防水スイッチを取付け枠７に固定する２本のネジ
１０  プレート１に内臓スイッチ、操作部パッキン、表面操作ハンドルを固着する４本のネジ
１１  表示窓を持たない表面操作ハンドル  １１ａ支点軸
１２  操作部パッキンと外周パッキンが一体のパッキン  １２ａ柔軟性のある薄肉部  １２ｂプレート１に防水スイッチを取付ける穴  １２ｃ表面操作ハンドル１１の支点軸受け  １２ｄ外周溝  １２ｅ取付け枠７の突起７ａに対応する穴  １２ｆ内臓スイッチの取付け板で内臓スイッチ、パッキン、表面操作ハンドルをプレート１に固着する穴
１３  スイッチハンドル  １３ａに表示窓を持たない点灯表示機能のない内臓スイッチ
【図１】
0003143587.tif 000003
【図２】
0003143587.tif 000004
【図３】
0003143587.tif 000005
【図４】
0003143587.tif 000006